(57)【要約】【課題】直管ランプに対して位置合わせした所定位置において保持できる照明器具を提供する。【解決手段】照明器具１０は、反射板１８に設けられた取付孔２５と、取付孔２５に取付部材２４により取り付けられる取付部３１と、取付部３１に支持されて直管ランプを握着するばね部３２と、取付部３１に設けられ、取付孔２５に共締めされる挿通部３４とを備え、挿通部３４が、反射板１８における直管ランプの長手方向および径方向のうちの一方に沿った複数箇所を選択可能である。【選択図】図２
2013026032.tif 000002
【特許請求の範囲】
【請求項１】
反射板と、
前記反射板に設けられて直管ランプを支持する一対のソケットと、
前記反射板に設けられた取付孔と、
前記取付孔に取付部材により取り付けられる取付部と、
前記取付部に支持されて前記直管ランプを握着するばね部と、
前記取付部に設けられ、前記取付孔に共締めされる挿通部とを備え、
前記挿通部が、前記反射板における前記直管ランプの長手方向および径方向のうちの一方に沿った複数箇所を選択可能である照明器具。
【請求項２】
請求項１に記載の照明器具において、
前記取付部における前記反射板に向かう面に突起が設けられている照明器具。
【請求項３】
請求項１または請求項２に記載の照明器具において、
前記取付部が前記ばね部を複数、かつ、前記直管ランプの長手方向に沿って支持している照明器具。
【請求項４】
請求項１または請求項２に記載の照明器具において、
前記直管ランプを複数、かつ、並行に有し、
前記取付部が前記ばね部を複数、かつ、前記直管ランプの径方向に沿って支持している照明器具。
【発明の詳細な説明】
【技術分野】
【０００１】
本発明は、直管ランプを装備する照明器具に関する。
【背景技術】
【０００２】
従来より、直管ランプを弾性的に保持するランプホルダをランプホルダ台に固定し、ランプホルダ台をねじにより反射板と共締め固定した照明器具が知られている（例えば、特許文献１参照）。
特許文献１は、省資源、リサイクル等の環境性に配慮し、安全性および信頼性の向上を低コストで実現できる。
また、従来により、ランプを抱持するランプホルダをランプ補助体とともにねじにより器具本体に取り付けた照明器具が知られている（例えば、特許文献２参照）。
特許文献２は、従来のランプホルダにランプ補助体を取り付けることにより耐久性と保持力を向上できる。
【先行技術文献】
【特許文献】
【０００３】
【特許文献１】特開２００４−１５８４０３号公報（図１、請求項１）
【特許文献２】実開平４−５０１５号公報（図１、請求項１）
【発明の概要】
【発明が解決しようとする課題】
【０００４】
ところが、特許文献１は、ランプホルダ台がねじにより反射板に共締め固定されているものの、ランプホルダを任意な位置に位置合わせできない。
一方、特許文献２は、ランプホルダがランプ補助体とともにねじにより器具本体に取り付けられているものの、ランプホルダを任意な位置に位置合わせできない。
従って、特許文献１および特許文献２は、例えば、既存の反射板に反射板を新たに取り付けるリニューアルタイプとして使用する場合、位置合わせした所定位置において直管ランプを保持できない。
【０００５】
本発明は、前述した課題を解決するためになされたものであり、その目的は、直管ランプに対して位置合わせした所定位置において保持できる照明器具を提供することにある。
【課題を解決するための手段】
【０００６】
本発明に係る照明器具は、反射板と、前記反射板に設けられて直管ランプを支持する一対のソケットと、前記反射板に設けられた取付孔と、前記取付孔に取付部材により取り付けられる取付部と、前記取付部に支持されて前記直管ランプを握着するばね部と、前記取付部に設けられ、前記取付孔に共締めされる挿通部とを備え、前記挿通部が、前記反射板における前記直管ランプの長手方向および径方向のうちの一方に沿った複数箇所を選択可能である。
【０００７】
本発明に係る照明器具は、前記取付部における前記反射板に向かう面に突起が設けられている。
【０００８】
本発明に係る照明器具は、前記取付部が前記ばね部を複数、かつ、前記直管ランプの長手方向に沿って支持している。
【０００９】
本発明に係る照明器具は、前記直管ランプを複数、かつ、並行に有し、前記取付部が前記ばね部を複数、かつ、前記直管ランプの径方向に沿って支持している。
【発明の効果】
【００１０】
本発明に係る照明器具によれば、直管ランプに対して位置合わせした所定位置において保持できるという効果を奏する。
【図面の簡単な説明】
【００１１】
【図１】本発明に係る第１実施形態の照明器具の分解斜視図
【図２】本発明に係る第１実施形態の照明器具のランプ落下防止部材の取付時の斜め下方から視た外観斜視図
【図３】本発明に係る第１実施形態の照明器具のランプ落下防止部材の斜め下方から視た外観斜視図
【図４】本発明に係る第１実施形態の照明器具のランプ落下防止部材の変形例の取付前の斜め下方から視た外観斜視図
【図５】本発明に係る第１実施形態の照明器具のランプ落下防止部材の変形例の取付後の斜め下方から視た外観斜視図
【図６】本発明に係る第２実施形態の照明器具のランプ落下防止部材の斜め下方から視た外観斜視図
【図７】本発明に係る第３実施形態の照明器具のランプ落下防止部材の取付時の斜め下方から視た外観斜視図
【図８】本発明に係る第４実施形態の照明器具のランプ落下防止部材の取付時の斜め下方から視た外観斜視図
【発明を実施するための形態】
【００１２】
以下、本発明に係る複数の実施形態の照明器具について図面を参照して説明する。
（第１実施形態）
図１に示すように、本発明に係る第１実施形態の照明器具１０は、天井面１に既に設置されている既存反射板１１の一端部にソケット台１２を介して取り付けられている一対の給電側のソケット１３を備える。
また、照明器具１０は、既存反射板１１の他端部にソケット台１４を介して取り付けられている一対の接地側のソケット１５と、既存反射板１１に取り付けられている電源ユニット１６と、電源ユニット１６の近傍に配置されている電源端子台１７とを備える。
電源端子台１７には、天井面１から引き込まれる電源線５が電気的に接続されるとともに電源ユニット１６が電気的に接続され、電源ユニット１６に給電側のソケット１３および接地側のソケット１５が電気的に接続される。
【００１３】
そして、照明器具１０は、既存反射板１１に下方から被される反射板１８と、一対の給電側のソケット１３および一対の接地側のソケット１５に機械的および電気的に接続される一対の直管型ＬＥＤランプ１９とを備える。
さらに、照明器具１０は、反射板１８に取り付けられる複数のランプ落下防止部材２０を備える。
照明器具１０は、既存反射板１１に反射板１８を新たに取り付けて使用するリニューアルタイプである。
【００１４】
既存反射板１１は、天井面１から下方に向けて突出されている取付ボルト２にボルト孔２１が挿通された後に座金３を介してナット４がねじ込まれることにより、天井面１にあらかじめ設置されている。
反射板１８は、厚みの薄い板部材により成形されており、床面側に反射面２２を有し、既存反射板１１内に収容される。
反射板１８は、給電側のソケット１３および接地側のソケット１５を挿通させるための切欠き状の二対のソケット挿通孔２３を有し、取付部材２４によりランプ落下防止部材２０を共締めするための取付孔２５を有する。
取付孔２５は、通常、取付部材２４を使って反射板１８を不図示の器具本体等に取り付けるために用いられるものであり、ランプ落下防止部材２０を反射板１８に共締めにより取り付けるために併用される。
【００１５】
直管型ＬＥＤランプ１９は、断面がほぼ円形のガラス管２６の一端部の口金２７に、給電側のソケット１３に電気的に接続される給電側の口金ピン２８を有する。
直管型ＬＥＤランプ１９は、ガラス管２６の他端部の口金２９に、接地側のソケット１５に電気的に接続される接地側の口金ピン３０を有する。
直管型ＬＥＤランプ１９は、ガラス管２６内に、複数の不図示のＬＥＤを長手方向に封止させた不図示のＬＥＤ基板を有する不図示のＬＥＤユニットを内蔵している。
【００１６】
直管型ＬＥＤランプ１９は、給電側のソケット１３から給電された直流電流が給電側の口金ピン２８から接地側の口金ピン３０を通じて接地側のソケット１５に流れる。
そして、直管型ＬＥＤランプ１９は、ＬＥＤ基板に有する不図示のプリント回路に直流電流が供給されてＬＥＤが発光される。
直管型ＬＥＤランプ１９は、被照射対象に向けた照射範囲が全周に対して１／２ないし２／３である。
【００１７】
図２に示すように、ランプ落下防止部材２０は、反射板１８の取付孔２５に取付部材２４により取り付けられる取付部３１と、取付部３１に支持されて直管型ＬＥＤランプ１９を握着するばね部３２とを備える。
ランプ落下防止部材２０は、取付部３１およびばね部３２の直管型ＬＥＤランプ１９側の面に高反射塗装が施されている。
そのため、ランプ落下防止部材２０は、反射板１８の反射面２２とともに高い反射機能を有する。
取付部材２４は、ねじ込みボルトやスタッドボルトが適用される。
図３に示すように、取付部３１は、ばね部３２が支持される底板３３と挿通部３４が形成される天板３５とがＺ字形状に接続されている。
挿通部３４は、反射板１８における直管型ＬＥＤランプ１９の長手方向に沿った複数個所を選択できる長孔に形成されている。
なお、挿通孔３４は、反射板１８における直管型ＬＥＤランプ１９の長手方向および径方向のうちの一方に沿った複数箇所を選択可能に形成されてもよい。
【００１８】
次に、ランプ落下防止部材２０の取付手順について説明する。
図１に戻り、まず、既存反射板１１の給電側のソケット１３および接地側のソケット１５に反射板１８のソケット挿通孔２３を外挿させながら、既存反射板１１に反射板１８を組み入れていく。
次に、反射板１８の取付孔２５に、ランプ落下防止部材２０の天板３５の挿通部３４を合わせ、ランプ落下防止部材２０のばね部３２が直管型ＬＥＤランプ１９の周面に一致するように、挿通部３４を微調整して位置決めする。
挿通部３４が位置決めされた後に、挿通部３４に取付部材２４が挿通され、取付部材２４が反射板１８の取付孔２５を通じて既存反射板１１に共締めによりねじ止めされる。
これにより、ランプ落下防止部材２０が、直管型ＬＥＤランプ１９の所定位置に位置合わせされた後に固定されることになる。
【００１９】
次に、ランプ落下防止部材２０の変形例について説明する。
図４に示すように、変形例のランプ落下防止部材２０は、天板３５に、反射板１８に設けられているラッチ部材３６を挿通させるため挿通孔３４が形成される。
図５に示すように、変形例のランプ落下防止部材２０は、反射板１８への取り付けにあたり、反射板１８の取付孔２５に、ランプ落下防止部材２０の天板３５の挿通部３４を合わせ、ランプ落下防止部材２０のばね部３２が直管型ＬＥＤランプ１９の周面に一致するように、挿通部３４を位置決めする。
挿通部３４が位置決めされた後に、挿通部３４がラッチ部材３６に挿通され、ラッチ部材３６がほぼ９０度回動されることにより、ラッチ部材３６が取付部３１に係止されて固定される。
【００２０】
以上、説明した本発明に係る第１実施形態の照明器具１０によれば、ランプ落下防止部材２０の挿通部３４が、反射板１８における直管型ＬＥＤランプ１９の長手方向に沿った複数箇所を選択可能である。
従って、照明器具１０によれば、直管型ＬＥＤランプ１９に対して位置合わせした所定位置において保持できる。
【００２１】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００２２】
図６に示すように、本発明に係る第２実施形態の照明器具４０は、回止部４２を有するランプ落下防止部材４１を備える。
ランプ落下防止部材４１は、回止部４２が、取付部３１の対向する外縁部において反射板１８側に突出する複数の係止突起４３である。
なお、回止部４２としては、係止突起４３に代えて、取付部３１の反射板１８側に設けられる凹凸面等を適用することもできる。
【００２３】
ランプ落下防止部材４１は、反射板１８への取り付けにあたり、反射板１８の取付孔２５に、天板３５の挿通部３４を合わせる。
次に、ランプ落下防止部材４１のばね部３２が直管型ＬＥＤランプ１９の周面に一致するように、挿通部３４を位置合わせして位置決めされる。
そして、挿通部３４が位置決めされた後に、挿通部３４に取付部材２４が挿通され、取付部材２４が反射板１８の取付孔２５を通じて既存反射板１１に共締めによりねじ止めされる。
これにより、ランプ落下防止部材４１は、取付部材２４のねじ込みに伴い、係止突起４３が反射板１８に食い込んで回り止めされて、直管型ＬＥＤランプ１９の所定位置に位置合わせされた後に固定される。
【００２４】
第２実施形態の照明器具４０によれば、回止部４２の係止突起４３が反射板１８に食い込むことにより、ランプ落下防止部材４１を直管型ＬＥＤランプ１９の所定位置に回り止めして固定できる。
【００２５】
（第３実施形態）
次に、本発明に係る第３実施形態の照明器具について説明する。
図７に示すように、本発明に係る第３実施形態の照明器具５０は、複数のばね部３２を直管型ＬＥＤランプ１９の長手方向に沿って支持している取付部５２を有するランプ落下防止部材５１を備える。
ランプ落下防止部材５１は、取付部５２が、直管型ＬＥＤランプ１９の径方向に沿った複数個所を選択できる長孔の挿通部５３を有する。
【００２６】
照明器具５０は、ランプ落下防止部材５１の取り付けにあたり、反射板１８の取付孔２５に、ランプ落下防止部材５１の取付部５２の挿通部５３を合わせる。
次に、ランプ落下防止部材５１のばね部３２が直管型ＬＥＤランプ１９の周面に一致するように、挿通部５３を微調整して位置決めされる。
挿通部５３が位置決めされた後に、挿通部５３に取付部材２４が挿通され、取付部材２４が反射板１８の取付孔２５を通じて既存反射板１１に共締めによりねじ止めされる。
【００２７】
第３実施形態の照明器具５０によれば、複数のばね部３２を直管型ＬＥＤランプ１９の周面に一致するように、挿通部５３を位置合わせして位置決めできるために、直管型ＬＥＤランプ１９に対する保持力を増大できる。
【００２８】
（第４実施形態）
次に、本発明に係る第４実施形態の照明器具について説明する。
図８に示すように、本発明に係る第４実施形態の照明器具６０は、複数の直管型ＬＥＤランプ１９を並行に配列している。
そして、照明器具６０は、並列の直管型ＬＥＤランプ１９を径方向にそれぞれ保持する複数のばね部３２を支持するために直管型ＬＥＤランプ１９の径方向に長さを有する取付部６２を有するランプ落下防止部材６１を備える。
【００２９】
照明器具６０は、ランプ落下防止部材６１の取り付けにあたり、反射板１８の取付孔２５に、ランプ落下防止部材６１の取付部６２の挿通部３４を合わせる。
次に、ランプ落下防止部材６１のばね部３２が並列の直管型ＬＥＤランプ１９の周面に一致するように、挿通部３４を位置合わせして位置決めされる。
挿通部３４が位置決めされた後に、挿通部３４に取付部材２４が挿通され、取付部材２４が反射板１８の取付孔２５を通じて既存反射板１１に共締めによりねじ止めされる。
【００３０】
第４実施形態の照明器具６０によれば、複数のばね部３２が並列の直管型ＬＥＤランプ１９の周面に一致するように挿通部３４を微調整してランプ落下防止部材６１が位置決めされるために、並列タイプの照明器具６０に簡単に適用できる。
【００３１】
なお、本発明の照明器具においてソケット台，電源ユニット，電源端子台，直管型ＬＥＤランプ等は、前述した各実施形態に限定されるものでなく、適宜な変形や改良等が可能である。
【符号の説明】
【００３２】
１０，４０，５０，６０  照明器具
１３  給電側ソケット（ソケット）
１５  接地側ソケット（ソケット）
１８  反射板
１９  直管型ＬＥＤランプ（直管ランプ）
２４  取付部材
２５  取付孔
３１，５２，６２  取付部
３２  ばね部
３４，５３  挿通部
４３  係止突起（突起）
【図１】
2013026032.tif 000003
【図２】
2013026032.tif 000004
【図３】
2013026032.tif 000005
【図４】
2013026032.tif 000006
【図５】
2013026032.tif 000007
【図６】
2013026032.tif 000008
【図７】
2013026032.tif 000009
【図８】
2013026032.tif 000010